(57)【要約】【課題】メッセージ通信機器において、メール送受信におけるセキュリティを強化するとともに、ユーザがメール機能をより楽しく利用できるようにする。【解決手段】本発明の携帯電話１によれば、ＣＰＵ２ａは、予め登録された暗証番号と入力された暗証番号が一致した場合に、暗号メールを作成可能とする。暗号メールが入力されると、ＣＰＵ２ａは、設定された暗号表ファイルを参照して、作成した暗号メールのひらがなを対応する音符データに変換して送受信部８を介して送信する。メールボックスから暗号メールが選択されると、ＣＰＵ２ａは、本文を音符データの「音長」を表す音符マークで表示させる。メッセージ処理メニューの表示が指示されると、ＣＰＵ２ａは、入力された暗証番号が一致した（正しい）場合にのみ、メッセージ処理メニューを表示させ、ユーザの選択によりメッセージの再生、解読、メロディ登録、着信音設定、削除の処理を実行する。【選択図】  図１
2004159243.tif 000002
【特許請求の範囲】
【請求項１】
メッセージデータの送信および／または受信を行うメッセージ通信機器において、
文字データと音符データとを互いに対応付けて格納する参照ファイル格納部と、
前記参照ファイル格納部を参照して、文字データと音符データとの変換を行うデータ変換部と、
文字データによる前記メッセージデータを前記データ変換部により音符メッセージデータに変換して送信する送信手段と、
音符メッセージデータを受信し、前記データ変換部により文字データに変換して出力する受信手段と、
を備えたことを特徴とするメッセージ通信機器。
【請求項２】
前記データ変換部は、データ変換許可制御信号の入力を前提として変換動作を行うように構成されていることを特徴とする請求項１に記載のメッセージ通信機器。
【請求項３】
前記送信手段は、
前記送信すべき文字データを入力する入力部と、
前記データ変換部と、
前記データ変換部により変換された音符メッセージデータを指定宛先に送信する送信部と、
前記入力部により入力された文字データをメッセージデータとして記憶する送信メッセージ記憶部と、
表示許可信号の入力を前提として前記送信メッセージ記憶部に記憶されたメッセージデータを読み出して表示する表示部と、
を有することを特徴とする請求項１又は２に記載のメッセージ通信機器。
【請求項４】
前記受信手段は、
前記音符メッセージデータを受信する受信部と、
前記データ変換部と、
前記データ変換部により文字データに変換されたメッセージデータを記憶する受信メッセージ記憶部と、
出力許可信号の入力を前提として前記受信メッセージ記憶部に記憶されたメッセージデータを読み出して出力する出力部と、
を有することを特徴とする請求項１〜３の何れか一項に記載のメッセージ通信機器。
【請求項５】
前記音符データは、音を鳴音するための一若しくは二以上の音源要素データからなることを特徴とする請求項１〜４の何れか一項に記載のメッセージ通信機器。
【請求項６】
前記音符データの音源要素データは、音階、オクターブ、音長、音色のうち、いずれか一つ若しくはそれらの組み合わせからなることを特徴とする請求項５に記載のメッセージ通信機器。
【請求項７】
前記音符メッセージデータをメロディデータとして記憶するメロディ記憶部と、
前記メロディ記憶部に記憶されたメロディデータを出力するメロディ再生部を備えたことを特徴とする請求項１〜６の何れか一項に記載のメッセージ通信機器。
【請求項８】
着信の種類及び相手先を指定する指定部と、
前記音符メッセージデータを前記指定部により指定された着信の種類及び相手先に対応する着信音として設定する着信音設定部を備え、
前記メロディ再生部は、前記指定された相手先から指定された種類の着信があった際に、前記設定された音符メッセージデータに基づくメロディを出力することを特徴とする請求項７に記載のメッセージ通信機器。
【請求項９】
前記参照ファイル格納部は、文字データと音符データとを互いに対応付けて参照ファイルとして少なくとも１つ格納し、
前記格納されている参照ファイルと相手先との対応付けを設定する参照ファイル設定部を備え、
前記データ変換部は、送信する前記メッセージデータの宛先に対応する参照ファイルを参照して文字データを音符データに変換し、前記受信された音符メッセージデータの送信元に対応する参照ファイルを参照して音符データを文字データに変換することを特徴とする請求項１〜８の何れか一項に記載のメッセージ通信機器。
【請求項１０】
メッセージデータの送信および／または受信を行うメッセージ通信機器におけるメッセージ通信方法において、
文字データと音符データとを互いに対応付けて参照ファイル格納部に格納させる工程と、
前記参照ファイル格納部を参照し、文字データによる前記メッセージデータを音符メッセージデータに変換する工程と、
前記変換された音符メッセージデータを送信する工程と、
前記参照ファイル格納部を参照し、受信した音符メッセージデータを文字データに変換する工程と、
前記変換された文字データを出力する工程と、
を含むことを特徴とするメッセージ通信方法。
【発明の詳細な説明】
【０００１】
【発明の属する技術分野】
本発明は、メッセージ通信機器、メッセージ通信方法に関する。
【０００２】
【従来の技術】
近年、携帯電話やＰＨＳ（Ｐｅｒｓｏｎａｌ  Ｈａｎｄｙ−ｐｈｏｎｅ  Ｓｙｓｔｅｍ）等の移動体通信機器の普及が目覚しい。一般に、これらの移動体通信機器は、ユーザを選ばず、誰もが簡単に操作できるように操作性を重視した構成が採られている。
【０００３】
移動体通信機器は、電子メール機能を搭載しているものがほとんどであるが、この電子メール機能についても、ユーザを選ばず、電子メール（以下、メールと称する）の作成の容易性、表示の読み易さを重視した仕様となっている。また、メッセージ作成時及び受信時において、簡単な操作でメッセージ内容を確認できるようになっている。ＰＤＡ（Ｐｅｒｓｏｎａｌ  Ｄｉｇｉｔａｌ  Ａｓｓｉｓｔａｎｃｅ）やメール端末等のメール機能を搭載した情報端末装置においても、同様に、簡単な操作でメッセージ内容を確認できるものが多い。
【０００４】
一方、近年、移動体通信機器を始めとするメッセージ通信機器や電話装置において、通信にアミューズメント性を採り入れるために、メロディを利用する様々な機能が開発、利用されている。例えば、発呼者から送信されてくる着信メロディ指定データに基づいて着信メロディを出力することにより、着信とともに発呼者が話そうとする大よその内容（「良い知らせ」「悪い知らせ」等）を報知する通信端末装置がある（例えば、特許文献１参照）。また、入力されたメロディデータと文字列データとをメロディ送信データにエンコードして発信し、着呼側はそのメロディデータをデコードして着信音として再生し、文字列データを画面表示する電話装置がある（例えば、特許文献２参照）。また、呼び出し種別に対応する複数のメロディデータを記憶しておき、着信時に受信した呼び出し種別に対応するメロディデータを読み出して音出力することにより発呼側の呼び出し意図を伝達するものがある（例えば、特許文献３参照）。
【０００５】
【特許文献１】
特開２００２−２７０３０号公報
【特許文献２】
特開平１１−１３６３９３号公報
【特許文献３】
特開平３−３３６１７３号公報
【０００６】
【発明が解決しようとする課題】
上述したように、移動体通信機器を始めとするメッセージ通信機器においては、メールのメッセージ内容を簡単な操作で確認できる。そのため、プライバシーが守られていないという問題点がある。上述した特許文献１〜３の技術によれば、メロディを利用して発呼者や発呼者の意図を伝達することができ、ユーザはメロディによる意思伝達を楽しむことができるが、メロディにより伝達できる内容は大よその内容に限られており、メッセージの内容全てを伝達することはできない。更に、上述した特許文献１〜３の技術は、メール送受信におけるプライバシー保護のためのセキュリティを強化するものではない。
【０００７】
本発明の課題は、メッセージ通信機器において、メール送受信におけるセキュリティを強化するとともに、ユーザがメール機能をより楽しく利用できるようにすることである。
【０００８】
【課題を解決するための手段】
上記課題を解決するため、本発明は、
メッセージデータの送信および／または受信を行うメッセージ通信機器において、
文字データと音符データとを互いに対応付けて格納する参照ファイル格納部と、
前記参照ファイル格納部を参照して、文字データと音符データとの変換を行うデータ変換部と、
文字データによる前記メッセージデータを前記データ変換部により音符メッセージデータに変換して送信する送信手段と、
音符メッセージデータを受信し、前記データ変換部により文字データに変換して出力する受信手段と、
を備えたことを特徴としている。
【０００９】
また、本発明は、
前記データ変換部は、データ変換許可制御信号の入力を前提として変換動作を行うように構成されていることが好ましい。
【００１０】
また、本発明は、
前記送信手段は、
前記送信すべき文字データを入力する入力部と、
前記データ変換部と、
前記データ変換部により変換された音符メッセージデータを指定宛先に送信する送信部と、
前記入力部により入力された文字データをメッセージデータとして記憶する送信メッセージ記憶部と、
表示許可信号の入力を前提として前記送信メッセージ記憶部に記憶されたメッセージデータを読み出して表示する表示部と、
を有することが好ましい。
【００１１】
また、本発明は、
前記受信手段は、
前記音符メッセージデータを受信する受信部と、
前記データ変換部と、
前記データ変換部により文字データに変換されたメッセージデータを記憶する受信メッセージ記憶部と、
出力許可信号の入力を前提として前記受信メッセージ記憶部に記憶されたメッセージデータを読み出して出力する出力部と、
を有することが好ましい。
【００１２】
また、本発明は、
前記音符データは、音を鳴音するための一若しくは二以上の音源要素データからなることが好ましい。
【００１３】
更に、本発明は、
前記音符データの音源要素データは、音階、オクターブ、音長、音色のうち、いずれか一つ若しくはそれらの組み合わせからなることが好ましい。
【００１４】
また、本発明は、
前記音符メッセージデータをメロディデータとして記憶するメロディ記憶部と、
前記メロディ記憶部に記憶されたメロディデータを出力するメロディ再生部を備えることが好ましい。
【００１５】
更に、本発明は、
着信の種類及び相手先を指定する指定部と、
前記音符メッセージデータを前記指定部により指定された着信の種類及び相手先に対応する着信音として設定する着信音設定部を備え、
前記メロディ再生部は、前記指定された相手先から指定された種類の着信があった際に、前記設定された音符メッセージデータに基づくメロディを出力することが好ましい。
【００１６】
更に、本発明は、
前記参照ファイル格納部は、文字データと音符データとを互いに対応付けて参照ファイルとして少なくとも１つ格納し、
前記格納されている参照ファイルと相手先との対応付けを設定する参照ファイル設定部を備え、
前記データ変換部は、送信する前記メッセージデータの宛先に対応する参照ファイルを参照して文字データを音符データに変換し、前記受信された音符メッセージデータの送信元に対応する参照ファイルを参照して音符データを文字データに変換することが好ましい。
【００１７】
また、本発明は、
メッセージデータの送信および／または受信を行うメッセージ通信機器におけるメッセージ通信方法において、
文字データと音符データとを互いに対応付けて参照ファイル格納部に格納させる工程と、
前記参照ファイル格納部を参照し、文字データによる前記メッセージデータを音符メッセージデータに変換する工程と、
前記変換された音符メッセージデータを送信する工程と、
前記参照ファイル格納部を参照し、受信した音符メッセージデータを文字データに変換する工程と、
前記変換された文字データを出力する工程と、
を含むことを特徴としている。
【００１８】
【発明の実施の形態】
以下、図を参照して本発明の実施の形態を詳細に説明する。
＜携帯電話１の構成＞
まず、構成を説明する。図１は、本実施の形態における携帯電話１の機能的構成を示すブロック図である。図１に示す様に、携帯電話１は、ＣＰＵ（Ｃｅｎｔｒａｌ  Ｐｒｏｃｅｓｓｉｎｇ  Ｕｎｉｔ）２ａ及びＲＯＭ（Ｒｅａｄ  Ｏｎｌｙ    Ｍｅｍｏｒｙ）２ｂを有する制御部２、入力部３、ワークメモリ４ａを有するＲＡＭ（Ｒａｎｄｏｍ  Ａｃｃｅｓｓ  Ｍｅｍｏｒｙ）４、記憶部５、ＶＲＡＭ６、表示部７、アンテナＡを有する送受信部８、変復調部９、符号化・復号化部１０、音声制御部１１、マイク１２、スピーカ１３、入出力端子１４、メロディ再生部１５等により構成されている。
【００１９】
制御部２を構成するＣＰＵ２ａは、電話の発信又は着信や入力部３から入力される指示信号に従って、ＲＯＭ２ｂに格納されている各種制御プログラムを読み出し、ＲＡＭ４内に形成されているワークメモリ４ａに展開し、該制御プログラムに従って各部の動作を集中制御する。また、ＣＰＵ２ａは、読み出したプログラムに従って、後述する暗号メール作成・送信処理、通常メール作成・送信処理、受信暗号メール処理を始めとする各種処理を実行し、処理結果を表示部７に表示させたり、記憶部５やＲＡＭ４内の所定領域に格納したりする。ＣＰＵ２ａは、本発明の請求項に記載のデータ変換部、着信音設定部としての機能を有する。
また、ＣＰＵ２ａは、入力部３、送受信部８、記憶部５、表示部７を制御することにより送信手段として、送受信部８、記憶部５、表示部７を制御することにより受信手段としての機能を有する。
【００２０】
ＲＯＭ２ｂは、半導体等の不揮発性メモリで構成されている。ＲＯＭ２ｂには携帯電話１に対応するシステムプログラム、及び該システムプログラム上で実行可能な暗号メール作成・送信処理、通常メール作成・送信処理、受信暗号メール処理等の各種処理プログラムを予め記憶する。
【００２１】
入力部３は、電源のＯＮ／ＯＦＦ、機能又はデータの選択、文字や数字の入力、電話の送受信、指示切替等を指示する各種操作釦等を備えて構成され、これら各種操作釦は、単独に又は組み合わせて押下されることにより、指示内容に応じた入力信号を制御部２へ出力する。入力部３は、本発明の請求項に記載の入力部、指定部及び参照ファイル設定部としての機能を有する。
【００２２】
ＲＡＭ４は、ＣＰＵ２ａにより実行制御される各種処理において、ＲＯＭ２ｂから読み出されたプログラム、入力若しくは出力データ等を一時的に格納するワークメモリ４ａを有する。
【００２３】
記憶部５は、フラッシュメモリ（Ｆｌａｓｈ  Ｍｅｍｏｒｙ）等の不揮発性の半導体メモリにより構成され、電話番号データ、メールアドレスデータ等の宛先が氏名データに対応付けられて記憶されているアドレス帳（電話帳）、メロディファイル、送信メッセージ、受信メッセージ、着信履歴等のユーザデータ、各種設定情報等が記憶されている。
【００２４】
また、本実施の形態において、記憶部５は、図１に示すように、内部に暗号表１ファイル５１を格納する。
図２は、ひらがなと、一つの音を鳴音するための音源要素である「音階」、「オクターブ」、「音長」、「音色」を表すデータとを対応付けて記憶する暗号表１ファイル５１のデータ格納例を示す図である。一つの音を鳴音する「音階」、「オクターブ」、「音長」、「音色」の各音源要素は合わせて音符データを構成している。図２に示すように、暗号表１ファイル５１は、ひらがなを表すデータ（例えば、あ、い、う、・・・）を「文字」として格納する文字領域５１ａと、文字に対応する音符の音階を表すデータ（例えば、ド、レ、ミ、・・・）を「音階」として格納する音階領域５１ｂと、文字に対応する音符のオクターブを表すデータ（例えば、１、２、３、・・・）を「オクターブ」として格納するオクターブ領域５１ｃと、文字に対応する音符の音長を表すデータ（例えば、音長１、音長１、音長２、・・・）を「音長」として格納する音長領域５１ｄと、文字に対応する音符の音色を表すデータ（例えば、ピアノ、エレクトーン、ギター、・・・）を「音色」として格納する音階領域５１ｅと、を有している。一つの文字は一つの音符データに対応し、「音階」、「オクターブ」、「音長」、「音色」の各音源要素が全て同一の音符データを複数の文字に対応付けることはできない。
【００２５】
記憶部５は、携帯電話１に予め記憶されているデフォルトの暗号表１ファイル５１を有しているが、ユーザによる入力部３の操作により暗号表の作成・設定が行われる毎に、ＣＰＵ２ａからの制御に従い、設定結果を暗号表２ファイル５２、暗号表３ファイル５３・・・として順次記憶する。暗号表ファイルは、メニュー画面等から、ユーザが入力部３の操作により所望の暗号表ファイルを作成する（ひらがな対「音階」、「オクターブ」、「音長」、「音色」の割り当てを行う）ことができ、また、相手先（宛先、送信元）に応じて、暗号表ファイルを設定し、変更することが可能である。暗号表ファイルは、本発明の請求項に記載の参照ファイルに相当する。また、記憶部５は、本発明の請求項に記載の参照ファイル格納部、送信メッセージ記憶部、受信メッセージ記憶部、メロディ記憶部としての機能を有する。
【００２６】
また、記憶部５は、ユーザが入力部３を操作することにより相手先に応じて暗号表ファイルを設定した結果を記憶する暗号表対応付けファイル５０１を有して構成されている。この暗号表対応付けファイル５０１は、アドレス帳に記憶されているデータを識別するために一意的に割り当てられているメモリ番号と、暗号表ファイル番号とを対応付けて記憶する。
【００２７】
ＶＲＡＭ（Ｖｉｄｅｏ  Ｒａｎｄｏｍ  Ａｃｃｅｓｓ  Ｍｅｍｏｒｙ）６は、ＣＰＵ２ａからの表示指示に従って、表示部７に表示するための表示データを一時的に格納する。
表示部７は、ＬＣＤ（Ｌｉｑｕｉｄ  Ｃｒｙｓｔａｌ  Ｄｉｓｐｌａｙ）、ＥＬ（Ｅｌｅｃｔｒｏ  Ｌｕｍｉｎｅｓｃｅｎｃｅ）
等により構成され、ＶＲＡＭ６に格納されている表示データの表示を行う。表示部７は、ＣＰＵ２ａに制御されることにより本発明の請求項に記載の表示部及び出力部としての機能を有する。
【００２８】
送受信部８は、ＲＦ（Ｒａｄｉｏ  Ｆｒｅｑｕｅｎｃｙ）回路等により構成され、送信時には、変復調部９で拡散変調されたデータを、携帯電話１に割り当てられた所与の周波数帯の搬送波に乗せて、アンテナＡから基地局Ｂへ送信する。一方、受信時には、アンテナＡを介して受信したデータを、変復調部９で処理可能な周波数帯に変換する。送受信部８は、本発明の請求項に記載の送信部及び受信部としての機能を有する。
【００２９】
変復調部９は、送信時には、符号化・復号化部１０で符号化されたデジタルデータに、携帯電話１固有のＰＮ（Ｐｓｅｕｄｏ−Ｎｏｉｓｅ：疑似雑音）符号を乗算して拡散し、送信周波数の帯域幅を広げる処理（拡散変調）を行う。一方、受信時には、送受信部８から入力されたデータに上記ＰＮ符号を乗算して、元の周波数帯域幅に戻す処理（逆拡散）を行う。
【００３０】
符号化・復号化部１０は、送信時には、音声信号等のアナログ信号をデジタルデータにして符号化する符号化処理を行い、送信に適したデータ量に圧縮する。
一方、受信時には、デジタルデータを復号化してアナログ信号に戻す復号化処理を行う。
【００３１】
音声制御部１１は、符号化・復号化部１０より入力された音声信号を、増幅器（図示略）を介してスピーカ１３から音声出力する。また、音声制御部１１は、マイク１２から入力される音声信号を符号化・復号化部１０へ出力する。
マイク１２は、外部から入力された音声を音声信号に変換して音声制御部１１に出力する。スピーカ１３は、音声制御部１１、メロディ再生部１５より入力された音声信号やメロディを図示しない増幅器で増幅して外部に出力する。
入出力端子１４は、携帯電話１にデジタルカメラ、キーボード等の周辺機器を接続するためのインタフェースである。
【００３２】
メロディ再生部１５は、例えばＰＣＭ（Ｐｕｌｓｅ  Ｃｏｄｅ  Ｍｏｄｕｌａｔｉｏｎ；パルス符号変調）方式で作成された様々な音色の音データを記憶しており、ＣＰＵ２ａからの制御信号に従って、メロディファイルに記憶されている音符データに基づいてメロディを生成し発生させる。メロディ再生部１５とスピーカ１３は、ＣＰＵ２ａに制御されることによりメロディ再生部としての機能を有する。
【００３３】
＜暗号メール作成・送信処理＞
次に、動作について説明する。
ここで、本実施の形態における「暗号メール」とは、メッセージデータを音符データによるメッセージデータ（音符メッセージデータ）により送受信するメールのことをいい、「暗号表示」、「暗号解読」とは、メッセージデータを音符データに基づく音符マークで表示し、そこから更に解読してメッセージデータに表示しかえることをいう。
【００３４】
まず、本発明の携帯電話１において、ユーザにより暗号メール作成が指示されることにより実行される暗号メール作成・送信処理について図３のフローチャートを参照して説明する。
【００３５】
入力部３が操作され、暗号メールメニューへの突入が指示されると（ステップＳ１）、ＣＰＵ２ａは、表示部７に暗証番号入力画面を表示させ、ユーザに暗証番号を入力させる（ステップＳ２）。そして、ＣＰＵ２ａは、入力された暗証番号が正しいか否かを判断し（ステップＳ３）、正しくないと判断すると（ステップＳ３；ＮＯ）、エラーメッセージを表示部７に表示させ（ステップＳ４）、ステップＳ２に戻る。入力された暗証番号が正しいものであると判断すると（ステップＳ３；ＹＥＳ）、ＣＰＵ２ａは、暗号メールメニューに突入し、暗号メールメニューから暗号メールの作成が指示されると（ステップＳ５）、表示部７にメール概要画面を表示させる（ステップＳ６）。ここで、暗証番号は、本発明の請求項に記載のデータ変換許可制御信号、表示許可信号に相当するものである。
【００３６】
ユーザによりメール概要画面上の宛先が選択されると、ＣＰＵ２ａは、表示部７に宛先入力画面を表示させ、ユーザにより宛先が入力されると（ステップＳ７）、メール概要画面に戻る。メール概要画面上の本文が選択されると、ＣＰＵ２ａは、表示部７に本文入力画面（編集画面）を表示させ、ユーザにより本文（メッセージ）がひらがな入力されると、作成されたメッセージを送信メッセージとして先に入力された宛先に対応付けて記憶部５に記憶し（ステップＳ８）、メール概要画面に戻る。
【００３７】
ユーザによりメール概要画面から再び本文が選択されることにより、本文確認が指示されると（ステップＳ９；ＹＥＳ）、ＣＰＵ２ａは、記憶部５の暗号表対応付けファイル５０１を参照して、入力された宛先に設定されている暗号表ファイルを読み出して参照し、本文の各ひらがなを対応する音符データに変換し、各音符データの「音長」を表す音符マークを本文確認画面に表示させて本文を暗号表示するとともに、音符データに基づいてメロディ再生部１５にメロディを再生させる（ステップＳ１０）。宛先に暗号表ファイルが設定されていなければ、デフォルトの暗号表ファイルを参照して暗号表示、メロディ再生を行う。ユーザにより本文確認画面からサブメニュー機能を呼び出す操作がされ、暗号解読が指示されると（ステップＳ１１；ＹＥＳ）、ＣＰＵ２ａは、記憶部５に記憶された入力どおりの送信メッセージを読み出して、本文確認画面上に表示させる（ステップＳ１２）。
【００３８】
ステップＳ１２における本文確認が終了し、ユーザにより送信を指示する操作信号が入力されると（ステップＳ１３；ＹＥＳ）、ＣＰＵ２ａは、設定されている暗号表ファイル（設定されていない場合はデフォルトの暗号表ファイル）に従って、本文中のひらがなを対応する音符データに変換して送信用の音符メッセージデータを作成し（ステップＳ１４）、送受信部８より音符メッセージデータを送信する（ステップ１５）。
【００３９】
一方、ステップＳ９において本文確認が指示されない（ステップＳ９；ＮＯ）、或いはステップＳ１１において暗号解読が指示されない場合（ステップＳ１１；ＮＯ）、ＣＰＵ２ａは、ステップＳ１３に遷移し、送信指示が操作されると（ステップＳ１３；ＹＥＳ）、前記設定されている暗号表ファイルに従って、本文をひらがなに対応する音符データに変換して送信用の音符メッセージデータを作成し（ステップＳ１４）、送受信部８より音符メッセージデータを送信する（ステップ１５）。
【００４０】
なお、ステップＳ１０において、宛先に対応する暗号表ファイルが設定されていない場合には、暗号表設定画面、暗号表選択画面等を表示し、ユーザがメールの作成・送信過程で暗号表ファイルの設定を行えるようにしてもよい。
【００４１】
＜通常メール作成・送信処理＞
次に、ユーザにより通常のメール作成が指示されることにより実行される通常メール作成・送信処理における暗号メールの作成、送信について図４のフローチャートを参照して説明する。
【００４２】
入力部３が操作され、通常メールメニューから、通常メール作成が指示されると（ステップＳ２１）、ＣＰＵ２ａは、表示部７にメール概要画面を表示させる（ステップＳ２２）。ユーザによりメール概要画面の宛先が選択されると、ＣＰＵ２ａは、表示部７に宛先入力画面を表示させ、ユーザにより宛先が入力されると（ステップＳ２３）、メール概要画面に戻る。メール概要画面からの本文が選択されると、ＣＰＵ２ａは、表示部７に本文入力画面（編集画面）を表示させ、ユーザにより本文が入力されると、作成されたメール（メッセージ）を送信メッセージとして先に入力された宛先に対応付けて記憶部５に記憶し（ステップＳ２４）、メール概要画面に戻る。
【００４３】
ユーザによりメール概要画面から本文設定が選択され、本文設定画面から暗号メールメニューが選択されることにより暗号メールメニューへの突入が指示されると（ステップＳ２５）、ＣＰＵ２ａは、表示部７に暗証番号入力画面を表示させ、ユーザに暗証番号を入力させる（ステップＳ２６）。そして、ＣＰＵ２ａは、入力された暗証番号が正しいか否かを判断し（ステップＳ２７）、正しくないと判断すると（ステップＳ２７；ＮＯ）、エラーメッセージを表示部７に表示させ（ステップＳ２８）、ステップＳ２６に戻る。入力された暗証番号が正しいものであると判断すると（ステップＳ２７；ＹＥＳ）、ＣＰＵ２ａは、暗号メールメニューに突入し、暗号メールの設定が指示されると、当該メールを暗号メールとして設定し（ステップＳ２９）、表示部７に暗号表選択画面を表示させ、選択された暗号表ファイルを、当該メールの宛先に対応する暗号表ファイルとして設定する（ステップＳ３０）。ここで、暗証番号は、本発明の請求項に記載のデータ変換許可制御信号、表示許可信号に相当するものである。
【００４４】
暗号表設定後、ＣＰＵ２ａは、表示部７に再びメール概要画面を表示させ、ユーザによりメール概要画面から再び本文が選択されることにより、本文確認が指示されると（ステップＳ３１；ＹＥＳ）、記憶部５の暗号表対応付けファイル５０１を参照して、入力された宛先に設定されている暗号表ファイルを読み出して参照し、本文の各ひらがなを対応する音符データに変換し、音符データの「音長」を表す音符マークを本文確認画面に表示させて本文を暗号表示するとともに、音符データに基づくメロディをメロディ再生部１５により再生させる（ステップＳ３２）。ユーザにより本文確認画面からサブメニュー機能を呼び出す操作がなされ、暗号解読が指示入力されると（ステップＳ３３；ＹＥＳ）、ＣＰＵ２ａは、記憶部５に記憶された入力どおりの送信メッセージを読み出して、本文確認画面上に表示させる（ステップＳ３４）。
【００４５】
ステップＳ３４における本文確認が終了し、ユーザにより送信を指示する操作信号が入力されると（ステップＳ３５）、ＣＰＵ２ａは、ステップＳ３０において設定された暗号表ファイルに従って、本文のひらがなを対応する音符データに変換して送信用の音符メッセージデータを作成し（ステップＳ３６）、送受信部８より音符メッセージデータを送信する（ステップＳ３７）。
【００４６】
一方、ステップＳ３１において本文確認が指示されない（ステップＳ３１；ＮＯ）、或いはステップＳ３３において暗号解読が指示されない場合（ステップＳ３３；ＮＯ）、ＣＰＵ２ａは、ステップＳ３５に遷移し、送信指示が操作されると（ステップＳ３５；ＹＥＳ）、前記設定されている暗号表ファイルに従って、本文中のひらがなを対応する音符データに変換して送信用の音符メッセージデータを作成し（ステップＳ３６）、送受信部８より音符メッセージデータを送信する（ステップＳ３７）。
【００４７】
なお、通常メール作成から開始して暗号メールを作成した場合、上記フローにおいては、暗号表ファイルを設定するステップを設けているが、暗号メール作成から開始した図３のフローチャートと同様に、ＣＰＵ２ａは、記憶部５の暗号表対応付けファイル５０１を参照して、入力部３により入力された宛先に設定されている暗号表ファイルを読み出して設定するようにしてもよい。また、宛先に対応する暗号表ファイルが設定されていない場合は、デフォルトの暗号表を利用するようにしてもよい。
【００４８】
以上説明した様に、携帯電話１においては、始めから暗号メールの作成を指示して暗号メールを作成・送信する方法と、通常メールとして作成を開始して、途中から暗号メールとしての設定を行う方法が可能である。通常メールから作成を行った場合には、ひらがな以外の文字が入力可能であるが、本文確認画面における暗号表示や送信時に変換された音符メッセージデータは、ひらがなの部分だけが音符データに変換され、他の文字（例えば、漢字）はそのままであり、入力された文字と暗号が混在する。また、ひらがなであっても音符データが対応付けられていない文字については変換されず、入力された文字と暗号が混在する。音符データが対応付けられていないこれらの文字を休符に対応させてもよい。
【００４９】
また、サブメニュー等により、暗号メール作成中に、暗号メール設定を解除して、通常メールに戻す機能を選択することができる。
【００５０】
図５は、図３のステップＳ８及び図４のステップＳ２４で表示部７に表示される本文入力画面（編集画面）７１の一例を示す図である。図５に示すように、本文入力画面７１は、アンテナピクトと電池残量を示すアイコンの下が文字入力領域となっており、カーソル位置に文字入力が可能となっている。文字入力領域の下部右側には、現在の文字入力方法を示す「漢」が表示され、その下の「切替」に対応する操作ボタンを押下すると、文字入力方法が切替られる。文字入力領域の下部中央には、カーソルの移動を示す上下左右キーが示され、その下には、入力可能な文字数の残数が表示されている。文字入力領域の下部左側には「サブメニュー」なる表示があり、対応する操作ボタンが表示されると、様々な機能が設定可能なサブメニュー画面に切替えられる。
【００５１】
図６は、図３のステップＳ１０及び図４のステップＳ３２で表示部７に表示される本文確認画面７２の一例を示す図である。図６に示すように、本文確認画面７２には、アンテナピクトと電池残量を示すアイコンの下に「本文確認」という題名が表示され、その下の暗号表示領域に、図５に示す本文入力画面７１で入力されたひらがなが、設定されている暗号表ファイルで対応付けられている「音長」を表す音符マークで暗号表示されている。この本文確認画面７２が表示されると同時に、メッセージに対応するメロディが再生される。画面右下の「停止」表示に対応するボタンが押下されると、メロディ再生が停止される。画面左下の「サブメニュー」表示に対応するボタンが押下されると、サブメニュー画面が表示されるが、このサブメニュー画面から「編集」が選択されると、文字入力画面７１に画面が切替えられ、文字入力が可能となる。サブメニュー画面から「暗号解読」が選択されると、図７に示す暗号解読画面７３に遷移する。
【００５２】
図７は、図３のステップＳ１２及び図４のステップＳ３４で表示部７に表示される暗号解読画面７３の一例を示す図である。図７に示すように、暗号解読画面７３では、図６で暗号表示した音符マークを、ひらがなに戻して表示する。
【００５３】
なお、本文確認画面７２、及び暗号解読画面７３は、所定の操作を行うことによりメール作成時以外においても表示可能であるが、暗号解読画面７３を表示させる際には、入力された暗証番号が一致する（正しい）ことが必要となる。
【００５４】
図８は、図４のステップＳ２５で表示部７に表示される本文設定画面７４の一例を示す図である。図８に示す本文設定画面７４では、「暗号メールメニュー」が選択肢として表示され、この「暗号メールメニュー」が選択されると、暗証番号入力画面が表示され、正しい暗証番号が入力されると、暗号メールメニューに突入して作成した、或いは作成中の通常メールを暗号メールとして設定することが可能となる。
【００５５】
＜受信暗号メール処理＞
次に、携帯電話１における受信暗号メール処理について図９のフローチャートを参照して説明する。
【００５６】
入力部３が操作され、受信メールボックスが選択され（ステップＳ４１）、更に受信メールボックス中のメールが選択され（ステップＳ４２）、メールの表示が指示されると（ステップＳ４３）、ＣＰＵ２ａは、表示部７に、受信メールを暗号表示（受信した音符データのうち「音長」を表す音符マークで表示）させるとともに、受信した音符データに基づいてメロディ再生部１５にメロディを再生させる（ステップＳ４４）。なお、受信メールボックス中のメールとは、送受信部８によりメールが受信された際に記憶部５に記憶される受信メッセージ（受信メール）のことであり、メールを音符メッセージデータとして受信した後、一度も暗号解読によるひらがな表示が指示されたことのない状態においては、記憶部５の受信メッセージは音符データで記憶されている。
【００５７】
次に、確定キーが押下されることによりメッセージ処理メニューの表示が指示されると（ステップＳ４５）、ＣＰＵ２ａは、表示部７に暗証番号入力画面を表示させ、ユーザに暗証番号を入力させる（ステップＳ４６）。そして、ＣＰＵ２ａは、入力された暗証番号が正しいか否かを判断し（ステップＳ４７）、正しくないと判断すると（ステップＳ４７；ＮＯ）、エラーメッセージを表示部７に表示させ（ステップＳ４８）、ステップＳ４６に戻る。入力された暗証番号が正しいものであると判断すると（ステップＳ４７；ＹＥＳ）、ＣＰＵ２ａは、表示部７にメッセージ処理メニュー画面を表示させる。ここで、暗証番号は、本発明の請求項に記載のデータ変換許可制御信号、出力許可信号に相当するものである。
【００５８】
メッセージ処理メニューから暗号の解読が選択されると（ステップＳ４９；ＹＥＳ）、ＣＰＵ２ａは、暗号表対応付けファイル５０１を参照して、送信元のアドレス（宛先）に設定されている暗号表ファイルに基づいて、受信した音符データを対応するひらがなに変換し、文字データに変換したメッセージを表示部７に表示させるとともに、文字データに変換した受信メッセージを記憶部５に記憶する（ステップＳ５０）。
【００５９】
メッセージ処理メニューから再生が選択されると（ステップＳ５１；ＹＥＳ）、ＣＰＵ２ａは、受信した音符メッセージデータをＣＰＵ２ａ内の展開バッファに書き込み、展開されたデータに基づいてメロディ再生部１５にメロディを再生させる（ステップＳ５２）。
【００６０】
メッセージ処理メニューからメロディ登録が選択されると（ステップＳ５３；ＹＥＳ）、ＣＰＵ２ａは、表示部７にファイル名設定画面を表示させ、ファイル名が設定されると（ステップＳ５４）、受信した音符メッセージデータを設定されたファイル名をつけてメロディファイルとして記憶部５に保存させる（ステップＳ５５）。
【００６１】
メッセージ処理メニューから着信音設定が選択されると（ステップＳ５６；ＹＥＳ）、ＣＰＵ２ａは、表示部７に着信音設定画面を表示させ、入力部３により着信の種類（通常着信、メール等）、設定する相手先等の着信音設定が入力されると（ステップＳ５７）、受信した音符メッセージデータのメロディを設定情報に基づいて着信音として設定し、音符メッセージデータをメロディファイルとして記憶部５に保存させる（ステップＳ５８）。
【００６２】
メッセージ処理メニューから削除が選択されると（ステップＳ５９；ＹＥＳ）、ＣＰＵ２ａは、受信したメッセージを削除する（ステップＳ６０）。
【００６３】
なお、ステップＳ５０は、一度文字データに変換、表示されたメッセージを再度解読表示する場合は、記憶部５に記憶された受信メッセージを読み出すことにより文字によるメッセージが表示される。また、文字データ、音符データの双方による受信メッセージを対応付けて夫々記憶部５に記憶してもよいし、文字データに変換後は文字データによる受信メッセージのみを記憶し、「再生」「メロディ登録」「着信音設定」が指定された際に、記憶部５に記憶されている受信メッセージの文字データを対応する音符データに変換し、変換された音符データに基づいて再生、メロディ登録、着信音設定を行うようにしてもよい。
【００６４】
図１０は、図９のステップＳ４５で表示部７に表示されるメッセージ処理メニュー画面７５の一例を示す図である。図１０に示すように、メッセージ処理メニュー画面７５には「再生」「解読」「メロディ登録」「着信音設定」「削除」等の受信メッセージに対する処理のメニューが表示されており、表示されたメニューから１つが選択されると、選択されたメニューに対応する処理が実行される。
【００６５】
図１１（ａ）は、図９のステップＳ５１においてメッセージ処理メニュー画面７５から「再生」が選択され、ＣＰＵ２ａ内のバッファメモリに選択されたメールの音符データが展開されている最中に表示部７に表示されるメロディ展開画面７６の一例を示す図である。図１１（ｂ）は、ＣＰＵ２ａ内のバッファメモリに選択されたメールの音符データが展開され、メッセージに対応するメロディが再生されている最中に表示される再生画面７７の一例を示す図である。
【００６６】
図１２（ａ）は、図９のステップＳ５３においてメッセージ処理メニュー画面７５から「メロディ登録」が選択された際にステップＳ５４で表示されるファイル名設定画面７８の一例を示す図である。このファイル名設定画面７８からファイル名が入力されると、入力されたファイル名で選択されたメールの音符データがメロディファイルとして記憶部５に記憶され、記憶後図１２（ｂ）に示す、登録されたメロディファイル名が表示されたメロディ登録終了通知画面７９が表示される。
【００６７】
図１３（ａ）は、図９のステップＳ５６においてメッセージ処理メニュー画面７５から「着信音設定」が選択された際にステップＳ５７で表示部７に表示される着信音設定画面８０の一例を示す図である。図１３（ａ）に示すように、着信音設定画面８０には「通常着信」「メール（通常）」「メール（速達）」・・・等が表示されており、何れかが選択されると、図１３（ｂ）に示す相手先設定画面８１に移行する。相手先設定画面８１には着信メロディを設定する相手先が一覧表示されている。ここでは、相手先をグループ単位で設定する場合を例示するが、個人別に設定するのであってもよい。相手先設定画面８１から相手先が選択されることにより設定されると、図１３（ｃ）に示すメロディ登録終了通知画面８２が表示される。ファイル名は、ここでは携帯電話１側により設定するものとするが、ユーザが任意に設定するようにしてもよい。
【００６８】
以上説明した様に、携帯電話１によれば、暗号メールメニューへの突入が指示されると、ＣＰＵ２ａは、ユーザに暗証番号を入力させ、暗証番号が一致した場合に、暗号メールを作成可能とする。そして、ＣＰＵ２ａは、作成した暗号メールを送信する際に、設定された暗号表ファイルを参照して、該暗号表ファイルに基づいてひらがなを対応する音符データに変換して音符メッセージデータを作成し、送受信部８を介して送信する。
【００６９】
また、受信メールの本文表示の指示があると、ＣＰＵ２ａは、受信した音符データを示す表示として音符データのうち「音長」を表す音符マークでメールを表示するので、暗号メールは、暗号である音符マークで表示される。メッセージ処理メニューの表示が指示されると、ＣＰＵ２ａは、ユーザに暗証番号を入力させ、暗証番号が一致した（正しい）場合に、メッセージ処理メニュー画面を表示させる。メッセージ処理メニュー画面から暗号解読が選択されると、ＣＰＵ２ａは、送信元のアドレスに設定されている暗号表ファイルを参照して、メッセージを音符データに対応するひらがなで表示部７に表示させる。再生が指示されると、ＣＰＵ２ａは、受信した音符データをＣＰＵ２ａ内の展開バッファに書き込み、展開されたデータに基づいてメロディ再生部１５によりメロディを再生する。メロディ登録が選択されると、ＣＰＵ２ａは、受信した音符データをファイル名をつけてメロディファイルとして記憶部５に保存させる。着信音設定が選択されると、ＣＰＵ２ａは、受信した音符データのメロディを設定情報に基づいて着信音として設定し、音符データをメロディファイルとして記憶部５に保存させる。削除が指示されると、ＣＰＵ２ａは、記憶部５に記憶された受信メッセージを削除する。
【００７０】
また、作成したメール、又は送信済みのメールの本文確認の指示があると、ＣＰＵ２ａは、当該メールを、設定された暗号表ファイルを参照して音符データによる暗号で表示する。暗号を解読が指示されると、ＣＰＵ２ａは、ユーザに暗証番号を入力させ、暗証番号が一致した（正しい）場合に、メッセージを音符データに対応するひらがなで表示する。
【００７１】
従って、暗号メールは、送信されるデータが「音階」「オクターブ」「音長」「音色」から構成される複雑な音符データであり、且つ送信者と受信者の双方で同一の暗号表を使用して変換しなければ正しい解読ができないので、メール送信時におけるセキュリティを強化することができる。また、入力された暗証番号が正しくなければ、作成中メール、送信済みメール、及び受信メールの暗号解読表示ができないので、むやみに他人が携帯電話１を操作してメールの内容を確認することを防止することができ、プライバシーを守ることができる。また、メロディファイルを添付することなく相手にメッセージメロディを送信することができるので、情報量を抑えつつ、メッセージとメロディを同時に送受信することができる。更に、受信した音符データを再生したり、メロディ登録したり、着信音として設定したりすることができるので、ユーザは暗号メールをより楽しく利用することができる。
【００７２】
なお、上記実施の形態における記述内容は、本発明に係る携帯電話１の好適な一例であり、これに限定されるものではない。
例えば、上記実施の形態においては、携帯電話について説明しているが、これに限定されず、ＰＨＳ、メール端末等、メール機能を搭載したメッセージ通信機器に適用することができる。
【００７３】
また、上記実施の形態においては、ひらがなに対応する音符データを示す表示として音符データのうち「音長」に応じた音符マークを表示することとしているが、これに限定されず、例えば、音符データのうち「音階」を表示するようにしてもよいし、五線譜上に「音長」を示す音符マークを配置して楽譜のようなイメージで表示してもよい。更に、ユーザが暗号表示の方法を設定できるようにすれば、暗号表示に様々なバリエーションをもたせることができる。
【００７４】
また、文字に対応する音符データは「音階」「オクターブ」「音長」「音色」の各音源要素の組み合わせから成ることとして説明したが、音符データはこれらの音源要素データのうち何れか一つ若しくはそれらの組み合わにより構成することができ、上記組み合わせに限定されない。
【００７５】
また、音符データを対応付ける文字はひらがなに限定されず、例えば、カタカナやアルファベット等であってもよい。
【００７６】
また、受信したメールのメロディを着信音設定する例を示したが、受信したメールのメロディをシャットダウン／ウェイクアップ音、ボタン確認音、メニュー音等の音として設定することもできる。このように、受信したメロディは様々な設定で利用することができる。
【００７７】
また、メッセージ処理メニューとして、「再生」「解読」「メロディ登録」「着信音設定」「削除」を例に挙げて説明したが、各種音設定やメール添付等の機能を表示、処理することができる。また、本実施の形態においては受信したメッセージに対して上述した処理を行うこととしているが、送信するメッセージを音符データに変換したデータに対して、上述した方法により「再生」「メロディ登録」「着信音設定」を行うようにしてもよい。
【００７８】
また、文字を音符データ及び自作ビットマップデータと対応付け、表示する際には音符でなくビットマップデータで表示するようにしてもよい。
【００７９】
また、オプション設定において、送信時に親展やＰＩＮコードと同様に暗号メールであることを示す設定を可能とすることで、受信時に、暗号メールであることが認識できるようにすると、利便性が向上する。
【００８０】
また、暗号メールを作成、解読する際に必要な操作は、本実施の形態においては、暗証番号の照合としているが、これに限定されず、ユーザが、暗号メール機能を利用する際に必要な操作を自由に設定できるようにしてもよい。
【００８１】
その他、携帯電話１の細部構成及び細部動作に関しても、本発明の趣旨を逸脱することのない範囲で適宜変更可能である。
【００８２】
【発明の効果】
本発明によれば、メッセージ通信機器において、メール送受信におけるセキュリティを強化するとともに、ユーザがメール機能をより楽しく利用できるようにすることができる。
【図面の簡単な説明】
【図１】本発明に係る携帯電話１の全体構成を概念的に示す図である。
【図２】図１の記憶部５に記憶される暗号表１ファイル５１内部のデータ格納例を示す図である。
【図３】図１のＣＰＵ２ａにより実行される暗号メール作成・送信処理のフローチャートを示す図である。
【図４】図１のＣＰＵ２ａにより実行される通常メール作成・送信処理のフローチャートを示す図である。
【図５】図３のステップＳ８及び図４のステップＳ２４で表示部７に表示される本文入力画面（編集画面）７１の一例を示す図である。
【図６】図３のステップＳ１０及び図４のステップＳ３２で表示部７に表示される本文確認画面７２の一例を示す図である。
【図７】図３のステップＳ１２及び図４のステップＳ３４で表示部７に表示される暗号解読画面７３の一例を示す図である。
【図８】図４のステップＳ２５で表示部７に表示される本文設定画面７４の一例を示す図である。
【図９】図１のＣＰＵ２ａにより実行される受信暗号メール処理のフローチャートを示す図である。
【図１０】図９のステップＳ４５で表示部７に表示されるメッセージ処理メニュー画面７５の一例を示す図である。
【図１１】図９のステップＳ５１においてメッセージ処理メニュー画面７５から「再生」が選択され、ＣＰＵ２ａ内のバッファメモリに選択されたメールの音符データが展開されている最中に表示部７に表示されるメロディ展開画面７６及びその後にメッセージに対応するメロディが再生されている最中に表示される再生画面７７の一例を示す図である。
【図１２】図９のステップＳ５３においてメッセージ処理メニュー画面７５から「メロディ登録」が選択された際にステップＳ５４で表示されるファイル名設定画面７８及びメロディファイルが登録されると登録されたメロディファイル名を表示して登録終了を通知するメロディ登録終了通知画面７９の一例を示す図である。
【図１３】図９のステップＳ５６においてメッセージ処理画面から「着信音設定」が選択された際にステップＳ５７で表示部７に表示される着信音設定画面８０の一例を示す図、着信音を設定する相手先を選択するための相手先設定画面８１の一例を示す図及び着信音の設定終了を通知するメロディ登録通知画面８２の一例を示す図である。
【符号の説明】
１    携帯電話
２    制御部
２ａ    ＣＰＵ
２ｂ    ＲＯＭ
３    入力部
４    ＲＡＭ
４ａ    ワークメモリ
５    記憶部
６    ＶＲＡＭ
７    表示部
８    送受信部
９    変復調部
１０    符号化・復号化部
１１    音声制御部
１２    マイク
１３    スピーカ
１４    入出力端子
１５    メロディ再生部
【図１】
2004159243.tif 000003
【図２】
2004159243.tif 000004
【図３】
2004159243.tif 000005
【図４】
2004159243.tif 000006
【図５】
2004159243.tif 000007
【図６】
2004159243.tif 000008
【図７】
2004159243.tif 000009
【図８】
2004159243.tif 000010
【図９】
2004159243.tif 000011
【図１０】
2004159243.tif 000012
【図１１】
2004159243.tif 000013
【図１２】
2004159243.tif 000014
【図１３】
2004159243.tif 000015